(57)【要約】【課題】ＣＤ−ＤＡやマルチセッション・ディスクを再生させる際に、ＴＯＣ情報からトラックのデータ種別をＲＯＭデータと誤判断して取得してしまった場合でも、ディスクの再生制御に影響を与えることなく本来のオーディオデータとして再生できるようにする。【解決手段】ディスクの駆動／再生手段から通知されたＴＯＣ情報に基づいて再生制御を行うディスク再生装置において、リードイン領域からＴＯＣ情報を取得して（Ｓ１）データ領域の先頭アドレスを検索したときに（Ｓ２）、そのＴＯＣ情報に含まれる先頭トラックのデータ種別を参照し（Ｓ３）、そのデータ種別がオーディオデータを指示している場合に（Ｓ４）、当該セッション内の各トラックの識別情報を全てオーディオ対応に書き換えて当該ＴＯＣ情報を変更し（Ｓ５）、その変更したＴＯＣ情報を制御手段に通知する（Ｓ６）。【選択図】  図３
2005032294.tif 000002
【特許請求の範囲】
【請求項１】
ディスクを駆動すると共に、前記ディスクに記録された少なくとも１つのセッションに含まれる複数のトラックから情報信号を読み取って再生する駆動／再生手段と、
前記駆動／再生手段から通知されたＴＯＣ情報に基づいて再生制御を行う制御手段とを具備し、
前記駆動／再生手段は、前記ディスク上のリードイン領域からＴＯＣ情報を取得してデータ領域の先頭アドレスを検索したときに、該ＴＯＣ情報に含まれる先頭トラックのデータ種別を指示する識別情報を参照し、該データ種別がオーディオデータを指示している場合に、当該セッション内の各トラックの識別情報を全てオーディオ対応に書き換えて当該ＴＯＣ情報を変更し、該変更したＴＯＣ情報を前記制御手段に通知することを特徴とするディスク再生装置。
【請求項２】
前記駆動／再生手段は、前記ＴＯＣ情報に含まれる先頭トラックのデータ種別を指示する識別情報を参照し、該データ種別がオーディオデータ以外のＲＯＭデータを指示しているときは、当該ＴＯＣ情報をそのまま前記制御手段に通知することを特徴とする請求項１に記載のディスク再生装置。
【請求項３】
前記駆動／再生手段により取得されたＴＯＣ情報を格納しておくためのメモリ手段をさらに具備し、
前記駆動／再生手段は、前記メモリ手段に格納されたＴＯＣ情報を参照して当該ＴＯＣ情報を変更すべきか否かの判定を行うことを特徴とする請求項１又は２に記載のディスク再生装置。
【発明の詳細な説明】
【０００１】
【発明の属する技術分野】
本発明は、コンパクトディスク（ＣＤ）等のディスク再生装置に関し、より詳細には、ディスクの特定領域に書き込まれているＴＯＣ（Ｔａｂｌｅ  Ｏｆ  Ｃｏｎｔｅｎｔｓ）  情報に基づいてディスク再生を行う装置においてＴＯＣ情報の誤判断時に生じる動作上の不都合を解消するのに有用な技術に関する。
【０００２】
【従来の技術】
従来より音楽などの音声記録媒体として、コンパクト・ディスク・デジタル・オーディオ（ＣＤ−ＤＡ）が広く普及している。一方、コンピュータやゲーム機器などで利用されるプログラムデータや画像データ等の記録媒体としてＣＤ−ＲＯＭが普及している。このＣＤ−ＲＯＭは，ＣＤ−ＤＡの技術を基に規格化されたものであり、その物理フォーマット及び基本的なデータフォーマットはＣＤ−ＤＡと同一である。
【０００３】
ＣＤでは、データの記録位置を示す「リードイン」、「データ」、データの終端を示す「リードアウト」の順序のフォーマットでデータを記録するようになっており、「データ」の部分にオーディオデータのみを記録したものがＣＤ−ＤＡであり、「データ」の部分にプログラムデータや画像データ等のＲＯＭデータを記録したものがＣＤ−ＲＯＭである。上記のフォーマットに基づく一連の情報は「セッション」と呼ばれており、ＣＤには、１枚のＣＤに１つのセッションのみを記録した「シングルセッション」のＣＤと、最近登場しているＣＤ−Ｒのように１枚のＣＤに複数のセッションを記録できるようにした「マルチセッション」のＣＤの２種類がある。
【０００４】
また、ＣＤ−ＲＯＭの場合、その規格上、一部分（トラック）がオーディオデータであってもよく、実際、そのような「オーディオトラック」と、プログラムデータや画像データ等のＲＯＭデータが記録された「データトラック」とが混在するＣＤ−ＲＯＭが存在する。このようなディスクに対しては、ＣＤ−ＤＡ用のディスク再生装置（いわゆる「ＣＤプレーヤ」）でオーディオトラックを再生して音楽を聴くこともでき、また、パーソナルコンピュータ等でデータトラックのプログラムを実行したり、画像データの画像を見たりすることもできる。但し、ＣＤプレーヤでＣＤ−ＲＯＭのデータトラックを再生した場合、ＣＤプレーヤはＣＤ−ＲＯＭのデータをＰＣＭ音声信号と同様に扱い、デジタル／アナログ（Ｄ／Ａ）変換してスピーカ等から再生するため、その再生音は「ガー」、「ピー」というようなランダムなデジタルノイズとなる。そこで、ＣＤプレーヤ側において、例えば、ディスクに記録された識別符号によってディスクの種別を判別し、当該ディスクがＣＤ−ＲＯＭであった場合、そのディスクを再生できないようにしたり、あるいは動作的には再生しても音声を出さないようにミューティングする等の工夫がなされているものもある。
【０００５】
ディスク（ＣＤ−ＤＡ、ＣＤ−ＲＯＭ）の最内周には、オーディオデータ等の情報とは別に、いわゆるＴＯＣ情報が書き込まれている領域（リードイン領域）が存在する。このＴＯＣ情報には、後で詳述するように、ディスクに記録されている曲（＝トラック）の数や各トラックの開始絶対時間、各トラックの開始アドレス、各トラックのデータ種別（当該トラックに記録されているデータがオーディオデータであるか、又はＲＯＭデータであるか）を指示する識別情報などが含まれている。
【０００６】
従来のディスク（ＣＤ）再生装置では、ディスクの再生に先立ち、ＣＤドライブ側において、そのディスクのリードイン領域から上記のＴＯＣ情報を取得するようにしている。それは、選曲動作などの制御や、曲数、記録時間などの表示にＴＯＣ情報が必要だからである。ＣＤドライブ側では、ＴＯＣ情報を取得し、さらにディスクのデータ領域の先頭アドレス（第１トラックの開始アドレス）を検索した後、当該ＴＯＣ情報を、ディスク再生装置を統括的に制御するホストコンピュータに通知し、ホストコンピュータからの指示を待つ。つまり、ホストコンピュータ側では、その通知されたＴＯＣ情報に基づいて、ＣＤドライブに対し再生制御を行う。
【０００７】
上記の従来技術に関連する技術としては、例えば、ＣＤプレーヤ等のディスク再生装置において、オーディオトラックを含むＣＤ−ＲＯＭのディスクを再生するにあたって、データトラック以外のオーディオトラックのみを自動的にプログラムし、使用者が誤ってデータトラックを再生しないようにしたものがある（例えば、特許文献１参照）。
【０００８】
【特許文献１】
特開平１０−１２４９７８号公報
【０００９】
【発明が解決しようとする課題】
上述したように従来の技術では、ディスクを再生する前に、ＣＤドライブ側でディスクのリードイン領域からＴＯＣ情報を取得し、さらにデータ領域の先頭アドレスを検索した後、当該ＴＯＣ情報をホストコンピュータ側に通知し、一方、ホストコンピュータ側では、その通知されたＴＯＣ情報に基づいて再生制御を行うようになっていた。
【００１０】
この場合、ＣＤドライブ側において、ＴＯＣ情報に含まれている各種の情報、特に、トラックのデータ種別（オーディオデータであるか、又はＲＯＭデータであるか）を指示する識別情報を正しく判断できていれば、そのＴＯＣ情報の通知を受けたホストコンピュータ側では、各トラックのデータ種別に応じた適正な再生制御を行う（オーディオデータであれば、当該オーディオ信号を再生するための処理を行い、ＲＯＭデータであれば、画像データの再生やプログラムの実行に必要な処理を行う）ことができるので、特に問題は生じない。
【００１１】
しかしながら、ＣＤドライブ側でトラックのデータ種別を正しく判断できていない場合に不都合が生じる。例えば、複数のセッションを記録したマルチセッション・ディスク（第１セッション内の全てのトラックにオーディオデータが記録されているディスク）を再生する際に、ＣＤドライブが何らかの影響を受けて、ＴＯＣ情報から第１セッションの各トラックのデータ種別をＲＯＭデータと誤判断して取得してしまった場合、データ領域に記録されている実際のトラックのデータ種別がオーディオデータであるにもかかわらず、当該トラックのデータ種別を「ＲＯＭデータ」としてホストコンピュータ側に通知することになる。
【００１２】
この場合、ホストコンピュータ側では、第１セッションの各トラックのデータ種別を（オーディオデータではない）ＲＯＭデータと認識するため、ＣＤドライブ側に対してオーディオ再生に係る制御は行わない。このため、本来はオーディオデータが記録されたトラックであるにもかかわらず、当該オーディオ信号を再生するための処理が行われないといった不都合が生じる。
【００１３】
このような不都合は、複数のトラックを含む１つのセッションのみを記録したシングルセッション・ディスクや、各トラックにオーディオデータのみを記録したディスク（ＣＤ−ＤＡ）についても、同様に起こり得る。
【００１４】
本発明は、かかる従来技術における課題に鑑み創作されたもので、ＣＤ−ＤＡやマルチセッション・ディスクを再生させる際に、ＴＯＣ情報からトラックのデータ種別をＲＯＭデータと誤判断して取得してしまった場合でも、ディスクの再生制御に影響を与えることなく本来のオーディオデータとして再生することができるディスク再生装置を提供することを目的とする。
【００１５】
【課題を解決するための手段】
上述した従来技術の課題を解決するため、本発明に係るディスク再生装置は、ディスクを駆動すると共に、前記ディスクに記録された少なくとも１つのセッションに含まれる複数のトラックから情報信号を読み取って再生する駆動／再生手段と、前記駆動／再生手段から通知されたＴＯＣ情報に基づいて再生制御を行う制御手段とを具備し、前記駆動／再生手段は、前記ディスク上のリードイン領域からＴＯＣ情報を取得してデータ領域の先頭アドレスを検索したときに、該ＴＯＣ情報に含まれる先頭トラックのデータ種別を指示する識別情報を参照し、該データ種別がオーディオデータを指示している場合に、当該セッション内の各トラックの識別情報を全てオーディオ対応に書き換えて当該ＴＯＣ情報を変更し、該変更したＴＯＣ情報を前記制御手段に通知することを特徴とする。
【００１６】
本発明に係るディスク再生装置によれば、駆動／再生手段（ＣＤドライブ）により、ディスク上のリードイン領域からＴＯＣ情報を取得してデータ領域の先頭アドレスを検索したときに、この時点で（従来のように）当該ＴＯＣ情報を制御手段（ホストコンピュータ）に通知せずに、先ず、当該ＴＯＣ情報に含まれる先頭トラック（当該セッション内の第１トラック）のデータ種別を指示する識別情報を参照し、そのデータ種別がオーディオデータか否かを確認した後、オーディオデータの場合に、当該セッション内の各トラックの識別情報を全てオーディオ対応に書き換えて当該ＴＯＣ情報を変更し、その変更したＴＯＣ情報を制御手段に通知するようにしている。
【００１７】
例えば、マルチセッション・ディスク（第１セッション内の全てのトラックにオーディオデータが記録されているディスク）を再生する際に、駆動／再生手段において何らかの影響により、ＴＯＣ情報から第１セッションの先頭トラックのデータ種別をＲＯＭデータと誤判断して取得してしまった場合でも、上記のように先頭トラックのデータ種別の判別処理に基づいて本来の「オーディオ」対応に当該ＴＯＣ情報を変更しているので、制御手段には、当該トラックのデータ種別を「オーディオデータ」として通知することができる。
【００１８】
これによって、制御手段は、駆動／再生手段によるＴＯＣ情報の誤判断に起因する影響を受けることなく、当該トラックのデータ種別を本来のオーディオデータと認識するため、駆動／再生手段に対してオーディオ再生に係る制御を行うことができる（つまり、オーディオデータとして再生することができる）。
【００１９】
また、先頭トラックのデータ種別を判別するだけでよい（つまり、当該セッション内の全てのトラックにアクセスしてトラックのデータ種別を判別する必要がない）ので、ＴＯＣ情報の読み取り時間を相対的に短縮することができる。
【００２０】
【発明の実施の形態】
図１は本発明の一実施形態に係るディスク再生装置の構成を一部模式的に示したものである。
【００２１】
図示のディスク再生装置３０において、１０は再生すべき音楽などのデータが記録されたディスク（ＣＤ−ＤＡ又はＣＤ−ＲＯＭ）、１１はディスク１０が載置されるターンテーブルを示す。ディスク１０は、ローディング部（図示せず）により装填され、ターンテーブル１１と押え板（図示せず）とに挟まれてチャッキングされる。また、１２はディスク１０を載置したターンテーブル３１を一定の線速度で回転駆動するスピンドルモータ、１３はディスク１０の記録面にレーザ光を照射してその反射光により、ディスク１０にピット形態で記録されたデータを読み出す光ピックアップ、１４は光ピックアップ１３が取り付けられたスレッド（図示せず）をディスク１０の半径方向に移動させる送りモータ（例えば、ステッピングモータ、ＤＣモータ等）を示す。
【００２２】
光ピックアップ１３からは、レーザ光のメインスポットから得られる４つの電流信号（Ａ信号、Ｂ信号、Ｃ信号、Ｄ信号）とサイドスポットから得られる２つの電流信号（Ｅ信号、Ｆ信号）が出力される。この光ピックアップ１３は、特に図示はしていないが、ピックアップ内の対物レンズ（図示せず）をディスク１３の面に平行な方向にシフトさせるためのアクチュエータ（図示せず）を有している。後述するトラッキングサーボがオン状態のときに、このアクチュエータに適当なバイアス電圧を印加することで、対物レンズをディスク１０の面に平行な方向にシフトさせるようになっている。また、１５は光ピックアップ１３から出力された電流信号を電圧に変換して可変増幅するＲＦ（Ｒａｄｉｏ  Ｆｒｅｑｕｅｎｃｙ）  アンプを示し、再生ＲＦ信号及びＥＦＭ（Ｅｉｇｈｔ  ｔｏ  Ｆｏｕｒｔｅｅｎ  Ｍｏｄｕｌａｔｉｏｎ）信号を生成すると共に、Ａ／Ｂ／Ｃ／Ｄ信号に基づいてフォーカスエラー信号を、またＥ／Ｆ信号に基づいてトラッキングエラー信号を、それぞれ生成するものである。
【００２３】
また、１６は後述するシステムコントローラ２０によって制御されるサーボ回路を示し、その機能ブロックとしてフォーカスサーボ制御部１６ａ、トラッキングサーボ制御部１６ｂ、ピックアップ送りサーボ制御部１６ｃ及びスピンドルサーボ制御部１６ｄを有している。サーボ回路１６は、ＲＦアンプ１５から供給されるフォーカスエラー信号及びトラッキングエラー信号に基づいて、各サーボ制御部１６ａ〜１６ｄからそれぞれフォーカス制御信号、トラッキング制御信号、ピックアップ送り制御信号及び回転制御信号を生成し、これら生成した各制御信号に基づいてディスク駆動系の各部を制御する。すなわち、フォーカス制御信号に基づいて、光ピックアップ１３からのレーザ光の焦点がディスク１０の信号面に合うように光ピックアップ１３のフォーカスアクチュエータ（図示せず）を駆動制御し、トラッキング制御信号に基づいて、レーザ光がディスク１０のトラックを追跡できるように光ピックアップ１３のトラッキングアクチュエータ（図示せず）を駆動制御し、ピックアップ送り制御信号に基づいて送りモータ１４を駆動制御し、回転制御信号に基づいてスピンドルモータ１２を駆動制御する。さらに、サーボ回路１６は、ＲＦアンプ１５が行う可変増幅動作に係るゲインを調整する機能も有している。
【００２４】
また、１７は後述するシステムコントローラ２０によって制御されるデジタル信号処理回路を示し、例えばＤＳＰ（デジタルシグナルプロセッサ）により構成されている。このデジタル信号処理回路１７は、基本的には、ＲＦアンプ１５から供給される再生ＲＦ信号に基づいて、サーボ回路１６の各サーボ制御部１６ａ〜１６ｄがそれぞれ制御信号を生成するタイミングをとるための同期信号を発生したり、ＲＦアンプ１５から供給されるＥＦＭ信号を復調し、圧縮データとして出力する機能を有している。さらに、デジタル信号処理回路１７は、再生ＲＦ信号からＴＯＣ情報を抽出し、後述するようにＴＯＣ情報に基づいた所定の判別処理を行い、その結果に応じて当該ＴＯＣ情報を変更した場合にはその変更後のＴＯＣ情報を、変更しない場合には当該ＴＯＣ情報をそのまま、システムコントローラ２０に通知する機能も有している。
【００２５】
また、デジタル信号処理回路１７は、取得したＴＯＣ情報を一時格納しておくためのＴＯＣ情報格納部１７ａを有している。図示の例では、ＴＯＣ情報格納部１７ａをデジタル信号処理回路１７に内蔵しているが、必ずしも内蔵させる必要はなく、デジタル信号処理回路１７と別個に設けてもよい。要は、デジタル信号処理回路１７が、その取得したＴＯＣ情報にアクセスできるように接続されていれば十分である。
【００２６】
なお、図１の例では図示の簡単化のためにデータの書き込み系を省略しているが、実際には、データの書き込み時に当該データに応じた磁界を発生する記録ヘッドがディスク１０の表面近傍に配置されており、さらに、この記録ヘッドにデータを供給するヘッドドライバ等の回路が適宜配置されている。従って、ディスク１０へのデータの書き込み時には、デジタル信号処理回路１７は、後述するメモリコントローラ１９から供給される圧縮データをＥＦＭ変調してヘッドドライバに出力する。
【００２７】
また、１８は圧縮データを所定時間分記憶するのに用いられるＤＲＡＭ等のメモリ、１９は後述するシステムコントローラ２０によって制御されるメモリコントローラを示し、その機能ブロックとしてデータ圧縮／伸長部１９ａを有している。メモリコントローラ１９は、システムコントローラ２０との間で所定の通信を行いながら、再生時には、デジタル信号処理回路１７から出力された圧縮データをメモリ１８に間欠的かつ高速に書き込む一方で、メモリ１８から連続的かつ通常速度で圧縮データを読み出し、この読み出した圧縮データをデータ圧縮／伸長部１９ａにより伸長してオーディオデータ等に変換した後、外部に出力する。また、メモリコントローラ１９は、記録時には上記とは逆に、外部から入力したオーディオデータ等をデータ圧縮／伸長部１９ａにより圧縮して圧縮データとした後、この圧縮データをメモリ１８に連続的かつ通常速度で書き込む一方で、メモリ１８から間欠的かつ高速に圧縮データを読み出し、この読み出した圧縮データをデジタル信号処理回路１７に出力する。
【００２８】
また、２０はマイクロコンピュータにより構成されたシステムコントローラを示し、所定のプログラムに従ってサーボ回路１６、デジタル信号処理回路１７及びメモリコントローラ１９を制御するものである。特定的には、デジタル信号処理回路１７から供給されるＴＯＣ情報に基づいて、後述するように本装置３０が行うＴＯＣ情報の誤判断時のディスク再生処理を制御する機能を有している。
【００２９】
システムコントローラ２０には、ＤＲＡＭ等のメモリ２１、ＥＥＰＲＯＭ等のメモリ２２、操作部２３及び表示部２４が接続されている。メモリ２１は、送りモータ１４によってピックアップ送りが行われた直後の光ピックアップ１３のセンタ位置でのディスク１０上のアドレス（データ）を一時格納しておくためのものである。このアドレス（データ）は、ピックアップ送り直後に光ピックアップ１３によって検出され、さらにＲＦアンプ１５及びデジタル信号処理回路１７を介してシステムコントローラ２０により取得されたものである。メモリ２２は、製品出荷時に予め測定しておいた回路オフセットのデータ等を記憶しておくためのものである。
【００３０】
また、操作部２３は、電源のオン／オフ、再生や録音、編集、イジェクト等の操作を行うためのものであり、そのための操作キーとして、再生動作を行わせるためのＰＬＡＹキー、記録動作を行わせるためのＲＥＣキー、次曲をサーチするための次曲シークキー、前曲をサーチするための前曲シークキー、記録／再生動作を停止させるためのＳＴＯＰキー等の各種操作キーを備えている。表示部２４は、例えばＬＣＤ等により構成され、トラックナンバー、演奏経過時間等を表示するためのものである。
【００３１】
以上の構成（ディスク再生装置３０）において、１２〜１９で示す各機能ブロックは、全体として「駆動／再生手段」に対応し、また、システムコントローラ２０は「制御手段」に、ＴＯＣ情報格納部１７ａは「メモリ手段」にそれぞれ対応している。
【００３２】
図２はディスク（ＣＤ）１０に記録されるデータのフォーマット構成を示したものであり、図中、（ａ）はデジタル信号処理回路１７からシステムコントローラ２０に供給されるデータのフレーム構成、（ｂ）は当該フレームにおけるサブコードの構成、（ｃ）は当該サブコードにおけるＱデータの構成、（ｄ）はＱデータ内におけるデータ部の構成をそれぞれ示している。
【００３３】
図２（ａ）に示すように、１フレームは、同期パターン部（２４チャンネルビット）、サブコーディング部（１シンボル、すなわち１４チャンネルビット）、第１のデータ部（１２シンボル）、第１のパリティ部（４シンボル）、第２のデータ部（１２シンボル）及び第２のパリティ部（４シンボル）からなる。なお、ここでは図示を省略するが、各シンボル（同期パターンも１シンボルと見なす）の結合のために、３ビットの結合ビットがフレーム内に含まれる。この結合ビットの総ビット数は、３４×３＝１０２チャンネルビットである。従って、１フレームは合計で５８８チャンネルビットからなる。
【００３４】
図２（ｂ）に示すように、９８個のフレームが、フレーム同期情報、サブコード情報、データ及びパリティ情報からなる一連の情報（サブコードフレーム）を形成する。９８個のフレーム内のサブコードデータが１ブロックとしてサブコード情報を表現する。これらのサブコード情報には、（ｉ）  楽曲（又は楽章）の頭出し、予め設定された順序に従って再生するなどのプログラム機能に関する情報、（ｉｉ）テキスト情報等の付加情報などが含まれている。（ｉ）  の情報としてサブコードのＰチャンネル及びＱチャンネルが用いられ、（ｉｉ）の情報としてサブコードのＲ，Ｓ，Ｔ，Ｕ，Ｖ．Ｗの各チャンネルが用いられる。Ｐチャンネルは、音楽と音楽の間（Ｐａｕｓｅ）を示しており、ラフな頭出しのために使用される情報である。Ｑチャンネルは、より詳細な制御のための情報である。
【００３５】
図２（ｃ）に示すように、Ｑデータは、コントロール部、アドレス部、データ部及びＣＲＣ（Ｃｙｃｌｉｃ  Ｒｅｄｕｎｄａｎｃｙ  Ｃｏｄｅ）部からなる。コントロール部はＱ１〜Ｑ４の４ビットからなり、オーディオのチャンネル数、エンファシス、デジタルデータなどの識別を行うためのテーブルが記録されている。コントロール部を構成するＱ１〜Ｑ４の４ビットのうち１ビット（上位から２ビット目＝Ｑ２）は、当該トラックに記録されているデータがオーディオデータであるか否かを示している。すなわち、このコントロールビット（Ｑ２）は、当該トラックのデータ種別を指示する識別情報であり、「０」のときは、当該トラックにオーディオデータが記録されている（つまり、オーディオトラックである）ことを表しており、「１」のときは、当該トラックにオーディオデータ以外のＲＯＭデータが記録されている（つまり、オーディオトラック以外のデータトラックである）ことを表している。
【００３６】
また、アドレス部はＱ５〜Ｑ８の４ビットからなり、後述するデータ部内のデータのフォーマットや種類を示す制御信号が記録されている。ＣＲＣ部はＱ８１〜Ｑ９６の１６ビットからなり、巡回符号のエラー検出を行うためのデータが記録されている。データ部はＱ９〜Ｑ８０の７２ビットのデータからなる。アドレス部のＱ５〜Ｑ８の４ビットのデータが「０００１」のときに、当該ディスクのリードイン領域におけるデータ部（ＴＯＣ）は、図２（ｄ）に示すフォーマットを有する。
【００３７】
すなわち、図２（ｄ）に示すように、データ部は、楽曲（又は楽章）番号を示すＭＮＲ部と、情報の種別を示すＰＯＩＮＴ部と、楽曲内の経過時間の「分」成分、「秒」成分及びフレーム番号をそれぞれ示すＭＩＮ部、ＳＥＣ部及びＦＲＡＭＥ部と、ＺＥＲＯ部と、ＰＯＩＮＴ部の内容の絶対時間の「分」成分、「秒」成分及びフレーム番号をそれぞれ示すＰＭＩＮ部、ＰＳＥＣ部及びＰＦＲＡＭＥ部とからなり、これらの各部は８ビットのデータからなっている。このうちＭＮＲ部、ＭＩＮ部、ＳＥＣ部、ＦＲＡＭＥ部及びＺＥＲＯ部は、いずれも１６進数表示で「００」に固定され、８ビット全てに「０」が付与されている。
【００３８】
また、ＰＭＩＮ部は、ＰＯＩＮＴ部が１６進数表示で「Ａ０」の場合には、最初の楽曲（又は楽章）番号を示し、ＰＯＩＮＴ部が１６進数表示で「Ａ１」の場合には、最後の楽曲（又は楽章）番号を示す。また、ＰＯＩＮＴ部が１６進数表示で「Ａ２」の場合には、ＰＭＩＮ部、ＰＳＥＣ部及びＰＦＲＡＭＥ部は、それぞれ、リードアウト領域が始まる絶対時間を示す。さらに、ＰＯＩＮＴ部が２ディジットのＢＣＤで表現される場合には、ＰＭＩＮ部、ＰＳＥＣ部及びＰＦＲＡＭＥ部は、それぞれ、当該数値で示される各曲（又は楽章）が始まるアドレスを絶対時間で表したものとなる。
【００３９】
次に、本実施形態に係るディスク再生装置３０が行うＴＯＣ情報の誤判断時のディスク再生処理について、その処理フローの一例を示す図３を参照しながら説明する。なお、本処理フローでは、説明の簡単化のため、１枚のＣＤに１つのセッション（トラック数がＮ）だけが記録されているものとする。
【００４０】
先ず最初のステップＳ１では、ディスク１０上のリードイン領域からＴＯＣ情報を取得する。このＴＯＣ情報には、図２に関連して説明したように、ディスクに記録されている第１〜第Ｎの各トラックの開始アドレス（ＰＭＩＮ部、ＰＳＥＣ部、ＰＦＲＡＭＥ部）、トラックのデータ種別（オーディオデータであるか、又はＲＯＭデータであるか）を指示する識別情報（コントロールビット）などが含まれている。このＴＯＣ情報は、図１において１２〜１７で示す各機能ブロックの協働作用に基づいて取得される。取得されたＴＯＣ情報は、デジタル信号処理回路１７により、ＴＯＣ情報格納部１７ａにいったん格納される。
【００４１】
次のステップＳ２では、デジタル信号処理回路１７において、ＴＯＣ情報格納部１７ａに格納されているＴＯＣ情報から、データ領域の先頭アドレス（第１トラックの開始アドレス）を検索する。
【００４２】
次のステップＳ３では、デジタル信号処理回路１７において、ＴＯＣ情報格納部１７ａに格納されているＴＯＣ情報に含まれる第１トラックのサブコードのＱチャンネル（図２）から、第１トラックのデータ種別を指示する識別情報（コントロールビット）を参照し、当該トラックのデータ種別を確認する。
【００４３】
次のステップＳ４では、デジタル信号処理回路１７において、その確認したデータ種別がオーディオデータを指示している（ＹＥＳ）か否（ＮＯ）かを判定する。判定結果がＹＥＳの場合にはステップＳ５に進み、判定結果がＮＯの場合にはステップＳ６に進む。
【００４４】
ステップＳ５では（第１トラックのデータ種別がオーディオデータの場合）、デジタル信号処理回路１７において、ＴＯＣ情報格納部１７ａに格納されている当該ＴＯＣ情報に対し、当該セッション内の第１〜第Ｎの各トラックの識別情報を全て「オーディオ」対応に書き換えて、当該ＴＯＣ情報を変更する。
【００４５】
この際、ディスク１０がＣＤ−ＤＡタイプのマルチセッション・ディスクの場合には、当該ディスクに記録された全てのセッションの各トラックの識別情報を全て「オーディオ」対応に書き換える。
【００４６】
これは、先頭トラックが「オーディオデータ」の場合は当該セッション内の全てのトラックが「オーディオデータ」であるという、マルチセッションの規約に基づくものである。但し、先頭トラックが「ＲＯＭデータ」のときは当該セッション内の後続のトラックは必ずしも「ＲＯＭデータ」とは限らない。
【００４７】
次のステップＳ６では、デジタル信号処理回路１７により、当該ＴＯＣ情報をシステムコントローラ２０に通知する。この際、ステップＳ５の処理を経てＴＯＣ情報が書き換えられている場合には、その変更後のＴＯＣ情報が通知され、ステップＳ４において第１トラックのデータ種別がオーディオデータではない（つまり、ＲＯＭデータ）と判定された場合には、当初取得されたＴＯＣ情報がそのまま通知される。
【００４８】
最後のステップＳ７では、システムコントローラ２０において、デジタル信号処理回路１７から通知されたＴＯＣ情報に基づいて、デジタル信号処理回路１７及びメモリコントローラ１９と協働しながらディスク再生に係る制御を行う。そして、本処理フローは「終了」となる。
【００４９】
以上説明したように、本実施形態に係るディスク再生装置３０によれば、１２〜１７で示す各機能ブロックにより、ディスク１０上のリードイン領域からＴＯＣ情報を取得してデータ領域の先頭アドレスを検索したときに、この時点では当該ＴＯＣ情報をシステムコントローラ２０に通知せずに、先ず、当該ＴＯＣ情報に含まれる第１トラックの識別情報（コントロールビット）を参照し、当該トラックのデータ種別がオーディオデータかＲＯＭデータかを確認した後、オーディオデータの場合に、当該セッション内の各トラックの識別情報を全て「オーディオ」対応に書き換えて当該ＴＯＣ情報を変更し、その変更したＴＯＣ情報をシステムコントローラ２０に通知するようにしている。
【００５０】
従って、例えばマルチセッション・ディスクを再生する際に、１２〜１７で示す各機能ブロック（駆動／再生系）において何らかの影響により、ＴＯＣ情報から第１セッションの先頭トラックのデータ種別をＲＯＭデータと誤判断して取得してしまった場合でも、上記のように第１トラックのデータ種別の判別処理に基づいて本来の「オーディオ」対応に当該ＴＯＣ情報を変更しているので、システムコントローラ２０には、当該トラックのデータ種別を「オーディオデータ」として通知することができる。
【００５１】
これによって、システムコントローラ２０側では、駆動／再生系によるＴＯＣ情報の誤判断に起因する影響を受けずに、当該トラックのデータ種別を本来のオーディオデータと認識するため、ディスク再生に係る制御を行うことができる。つまり、オーディオデータとして再生することが可能となる。
【００５２】
【発明の効果】
以上説明したように本発明によれば、ＣＤ−ＤＡやマルチセッション・ディスクを再生させる際に、ＴＯＣ情報からトラックのデータ種別をＲＯＭデータと誤判断して取得してしまった場合でも、ディスクの再生制御に影響を与えることなく本来のオーディオデータとして再生することができるディスク再生装置を提供することができる。また、先頭トラックのデータ種別を確認（判別）するだけで済み、当該セッション内の全てのトラックにアクセスしてトラックのデータ種別を判別する必要がないので、従来の場合と比べてＴＯＣ情報の読み取り時間を短縮することができる。
【図面の簡単な説明】
【図１】本発明の一実施形態に係るディスク再生装置の構成を一部模式的に示すブロック図である。
【図２】図１におけるディスク（ＣＤ）に記録されるデータのフォーマット構成を示す図である。
【図３】図１のディスク再生装置が行うＴＯＣ情報の誤判断時のディスク再生処理の一例を示すフロー図である。
【符号の説明】
１０…ディスク（ＣＤ−ＤＡ又はＣＤ−ＲＯＭ）、
１２…スピンドルモータ（駆動／再生手段）、
１４…送りモータ（駆動／再生手段）、
１５…ＲＦアンプ（駆動／再生手段）、
１６…サーボ回路（駆動／再生手段）、
１７…デジタル信号処理回路（駆動／再生手段）、
１７ａ…ＴＯＣ情報格納部（メモリ手段）、
１９…メモリコントローラ（駆動／再生手段）、
２０…システムコントローラ（制御手段）。
【図１】
2005032294.tif 000003
【図２】
2005032294.tif 000004
【図３】
2005032294.tif 000005